(57)【要約】【課題】段ボール紙からなるパレットにおいて、外部から大きな衝撃力が加わった場合であっても大きな変形が生じることがなく、また脚部材が外れたりズレたりすることのないようにする。【解決手段】段ボール紙からなる矩形状の上板１と下板２とを離隔対向させて、両者の少なくとも四隅を脚部材３で接合する。下板２の、脚部材３が接合している部分間に板状の補強板４を貼設する。ここでパレットＰの重量を重くすることなく、パレットＰの強度を高める観点から、補強板４を段ボール紙から構成し、補強板４の波形中芯の段目が、下板２を構成する段ボール紙の波形中芯の段目と略直交するように、補強板４を下板２に貼設するのが好ましい。【選択図】図２
2007284115.tif 000002
【特許請求の範囲】
【請求項１】
段ボール紙からなる矩形状の上板部材と下板部材とを離隔対向させて、両者の少なくとも４隅を脚部材で接合したパレットにおいて、
前記下板部材の、脚部材が接合している部分間に板状の補強部材を貼設したことを特徴とするパレット。
【請求項２】
前記補強部材が段ボール紙からなり、
前記補強部材の波形中芯の段目が、前記下板部材を構成する段ボール紙の波形中芯の段目と略直交するように、前記補強部材を前記下板部材に貼設する請求項１記載のパレット。
【請求項３】
請求項１又は２記載のパレットと、下面が開放された直方体形状の外ケースとを備え、前記パレットは、上板部材の縁辺から上方に略垂直に折り曲げられた周壁をさらに備え、この周壁の内側に外ケースが填め入れられることを特徴とする梱包箱。
【発明の詳細な説明】
【技術分野】
【０００１】
本発明は段ボール製のパレット及びこれを用いた梱包箱に関し、より詳細には、離隔対向させた上板部材と下板部材の４隅を脚部材で接合したパレット及びこれを用いた梱包箱に関するものである。
【背景技術】
【０００２】
ファクシミリやプリンタ、複写機などの比較的大型で重量のある物品を運搬や輸送、保管する場合に、パレットが従来から広く使用されている。このパレットは通常、矩形状の上板と下板とを脚部材で接合してなり、上板と下板との間の空間にフォークリフトの爪が挿入されて移動が行われるようになっている。
【０００３】
このようなパレットとしてはこれまで木製のものが多く使用されていたが重いという欠点があったため、近年では段ボール紙を用いた軽量なパレットが使用されつつある。
【特許文献１】特開２００５−６７６８９号公報
【発明の開示】
【発明が解決しようとする課題】
【０００４】
しかしながら、段ボール製のパレットは木製のものに比べて強度が低いため、外部衝撃によって折れ曲がったり窪んだりすることがあった。落下試験において、梱包された物品を載置したパレットを、角部から地面に衝突するように所定高さから落下させたとき、図７に示すように、パレットに加わる衝撃力は、下板２の角部を構成する２つ辺の方向に分解される。下板２を構成する段ボール紙の段目に平行に加わった衝撃力Ｐ1に対しては、下板２は強く大きな変形を起こさないが、段ボール紙の段目に直交するように伝わる衝撃力Ｐ2に対しては、下板２は弱く大きく変形する。
【０００５】
また、上板と下板とを接合している脚部材３は、上板と下板に接着剤等で貼設されているにすぎないため、外部衝撃によって脚部材３が外れたりズレたりすることがある。
【０００６】
本発明はこのような従来の問題に鑑みてなされたものであり、その目的とするところは、外部から大きな衝撃力が加わった場合であっても大きな変形が生じることがなく、また脚部材が外れたりズレたりすることのない段ボール紙からなるパレット及びパレット付きの梱包箱を提供することにある。
【課題を解決するための手段】
【０００７】
前記目的を達成するため本発明のパレットでは、段ボール紙からなる矩形状の上板部材と下板部材とを離隔対向させて、両者の少なくとも４隅を脚部材で接合し、前記下板部材の、脚部材が接合している部分間に板状の補強部材を貼設した構成とした。
【０００８】
ここでパレットの重量を重くすることなく、パレットの強度を高める観点から、補強部材を段ボール紙から構成し、補強部材の波形中芯の段目が、下板部材を構成する段ボール紙の波形中芯の段目と略直交するように、補強部材を下板部材に貼設するのが好ましい。
【０００９】
また本発明の梱包箱では、前記記載のパレットと、下面が開放された直方体形状の外ケースとを備え、前記パレットは、上板部材の縁辺から上方に略垂直に折り曲げられた周壁をさらに備え、この周壁の内側に外ケースが填め入れられる構成とした。
【発明の効果】
【００１０】
本発明のパレットは段ボール紙で形成しているので、木製のものに比べて格段に軽く、運搬や搬送が容易に行えるようになる。また下板部材の、脚部材が接合している部分間に板状の補強部材を貼設しているので、外部から大きな衝撃力が加わった場合であっても大きな変形が生じることがなく、また脚部材が外れたりズレたりすることがない。
【００１１】
また補強部材を段ボール紙から構成し、補強部材の波形中芯の段目が、下板部材を構成する段ボール紙の波形中芯の段目と略直交するように、補強部材を下板部材に貼設すると、パレットの重量を重くすることなく、パレットの強度を高めることができる。
【００１２】
本発明の梱包箱では、前記記載のパレットと、下面が開放された直方体形状の外ケースとを備え、前記パレットは、上板部材の縁辺から上方に略垂直に折り曲げられた周壁をさらに備え、この周壁の内側に外ケースが填め入れられる構成としたので、梱包作業や開梱作業の際の被梱包物の持ち上げを回避でき作業性が向上する。
【発明を実施するための最良の形態】
【００１３】
以下、本発明に係るパレット及び梱包箱について図に基づいて説明する。なお、本発明はこれらの実施形態に何ら限定されるものではない。
【００１４】
図１は、本発明に係るパレットの一実施形態を示す斜視図であり、図２は、図１のパレットの組立工程図である。パレットＰは、段ボール紙からなる上板（上板部材）１と下板（下板部材）２、上板１と下板２を離隔対向させた状態で接合する脚部材３とを備える。そして下板２の、脚部材３間には段ボール紙からなる補強板（補強部材）４が不図示の接着剤で貼設されている。なお、脚部材３間の空間はフォークリフトの爪が挿入される空間となる。
【００１５】
図２（ａ）に示すように、下板２には軽量化を図るために開口２１が形成されている。また下板２を構成する段ボール紙は、段目がこの図において右下から左上へ向かう方向となるように配置されている。この下板２の上に、段ボール紙からなる補強板４が接着剤で貼着される。補強板４の脚部材３が位置する領域には切欠き４１及び開口部４２が形成され、脚部材３が下板２に直接取り付けられるようになっている。補強板４を下板２に貼着する際、補強板４を構成する段ボール紙を、その段目が、下板２の段ボール紙の段目と略直交するように配置することが、外部衝撃に対する強度向上の点で重要である。すなわち、この図では、補強板４を構成する段ボール紙の段目が左下から右上に向かう方向に、補強板４を配置して下板２に貼着する。これにより、段ボール紙が弱い、段目に対して直交する方向からの衝撃力が、下板２と補強板４の一方にとっては耐衝撃性のある、段目に対して平行な方向の力となるので、下板２において衝撃力の弱い領域がなくなる。
【００１６】
なお、補強板４の材質としては段ボール紙に限定されるものではなく、金属材料やプラスチック材料など従来公知のものを使用できるが、軽量性や下板との密着性などの点から段ボール紙が望ましい。
【００１７】
次に、同図（ｂ）に示すように、下板２に貼着された補強板４の切欠き４１及び開口部４２の部分に脚部材３を接着剤で貼設する。このとき、補強板４の切欠き４１及び開口部４２の側面にも接着剤を塗布しておくことが推奨される。脚部材３と脚部材３との間に補強板４を取り付けることによって、外部から衝撃を受けたときに脚部材３がズレることが抑えられるが、図３に示すように、補強板４の側面と脚部材３をも接着剤６で接着することによって、脚部材３のズレがさらに効果的に抑えられるようになるからである。
【００１８】
ここで、脚部材３は少なくとも下板２の四隅に取り付ければよく、パレットＰ上に載置される物品の形状や重量などを考慮して必要な位置に脚部材３をさらに取り付けてもよい。図４に示すように、下板２の四隅に脚部材３を取り付けると同時に、これらの脚部材３間の中間にそれぞれ脚部材を取り付けた場合、補強板４は、少なくとも下板２の四隅に取り付けられた脚部材３が一方の脚部材となる脚部材間に取り付けることが望ましい。これにより、下板２の縁辺の耐衝撃性が強化され、いずれの方向からの衝撃に対しても下板２の変形が小さく抑えられるようになる。もちろん、耐衝撃性の向上の観点からは、すべての脚部材間に補強板４を取り付けるのが望ましい。
【００１９】
そして図２（ｃ）に示すように、下板２に取り付けられた脚部材３の上面に上板１を取り付ける。脚部材３と上板１とは、下板２の場合と同様に接着剤で接合する。これによって、本発明のパレットＰの組立が完了する。なお、下板２のみならず上板１にも同様の補強板４を取り付けてももちろん構わない。
【００２０】
図５に、本発明に係るパレットの他の実施形態を示す。このパレットＰが前記実施形態と異なる点は、上板１に周壁１２ａ，１２ｂ，１２ｃ，１２ｄを備えている点である。すなわち、図５のパレットの上板１は、基部１１と、基部１１の縁辺から上方に略垂直に折り曲げられる周壁１２ａ，１２ｂ，１２ｃ，１２ｄとを備えている。そして、対向する周壁１２ｂ，１２ｄには、後述する外ケース５（図６に図示）を取り付け固定するための係合孔１３ａ，１３ｂが形成されている。
【００２１】
図６に、図５に示すパレットＰを用いた梱包箱Ｂの一実施形態を示す。外ケース５は下面開口の直方体形状をしてなり、外ケース５を構成する各側壁５１ａ，５１ｂ，５１ｃ，５１ｄの上縁辺には、外ケース５の上壁面を形成するためのフラップ５２ａ，５２ｂ，５２ｃ，５２ｄがそれぞれ連設されている。このフラップ５２ａ，５２ｂ，５２ｃ，５２ｄは、梱包時に内側に折り曲げられ不図示の粘着テープによって封止される。また側壁５１ｂ，５１ｄの下部には、外ケース５をパレットＰの周壁１２に固定するための係合孔５３ａ，５３ｂが形成されている。
【００２２】
このような構成の梱包箱Ｂを用いて被梱包物を梱包する場合、まずパレットＰの上板１の基部１１上に被梱包物（不図示）を載置する。次に、被梱包物の上方から外ケース５を被せ、外ケース５の下端部をパレットＰの周壁１２の内側に嵌合させる。すると、外ケース５の側壁に形成された係合孔５３ａ，５３ｂと、パレットＰの周壁１２の係合孔１３ａ，１３ｂとが重なり、そこに不図示のジョイント部材を填め入れることによって、外ケース５はパレットＰに固定される。外ケース５とパレットＰとが輸送・保管中に分離しないように、さらに梱包箱Ｂの外周にベルトを巻き付けて締め付けるようにしてもよい。
【図面の簡単な説明】
【００２３】
【図１】本発明に係るパレットの一実施形態を示す斜視図である。
【図２】図１のパレットの組立工程図である。
【図３】脚部材と上板、下板、補強板との取り付け状態を示す説明図である。
【図４】補強板の取付位置の他の例を説明する図である。
【図５】本発明に係るパレットの他の実施形態を示す斜視図である。
【図６】図５のパレットを用いた梱包箱の一実施形態を示す斜視図である。
【図７】落下によってパレットが受ける衝撃力と段ボール紙の段目との関係を示す図である。
【符号の説明】
【００２４】
１    上板（上板部材）
２    下板（下板部材）
３    脚部材
４    補強板（補強部材）
５    外ケース
６    接着剤
Ｐ    パレット
１２，１２ａ，１２ｂ，１２，１２ｄ    周壁
【図１】
2007284115.tif 000003
【図２】
2007284115.tif 000004
【図３】
2007284115.tif 000005
【図４】
2007284115.tif 000006
【図５】
2007284115.tif 000007
【図６】
2007284115.tif 000008
【図７】
2007284115.tif 000009